【手続補正書】
【提出日】平成27年7月17日(2015.7.17)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、有色インクと画質向上液を用いて記録媒体に画像を記録するための画像処理装置および画像処理方法に関する。
【手続補正３】
【補正対象書類名】明細書
【補正対象項目名】０００９
【補正方法】変更
【補正の内容】
【０００９】
そのために本発明は、記録媒体の単位領域に対し、第１のドットデータに従って行われる画像の光沢性を制御するための画質向上液による記録と色ドットデータに従う有色インクの記録を同じタイミングで行う第１の記録と、かつ、記録媒体の単位領域に対し、前記有色インクの記録を行った後に、前記画質向上液をさらに記録する第２の記録とを行うことにより、前記記録媒体に画像を形成するための画像処理装置であって、入力画像データに基づいて、前記有色インクに対応する多値の色データと、前記画質向上液に対応する第１の多値データと第２の多値データを生成する生成手段と、前記多値の色データを量子化して前記有色インクのドットの配置を示す色ドットデータを生成し、前記第１の多値データを量子化して前記画質向上液のドット配置を示す第１のドットデータを生成し、前記第２の多値データを量子化して前記画質向上液のドット配置を示す第２のドットデータを生成する量子化手段と、前記単位領域に対し、前記色ドットデータに従った前記有色インクの記録と前記第１のドットデータに従った前記画質向上液の記録を同時に行った後、前記第２のドットデータに従った前記画質向上液の記録を行うように、前記有色インクおよび前記画質向上液を前記単位領域に記録するタイミングを制御する制御手段とを備えることを特徴とする。
【手続補正４】
【補正対象書類名】明細書
【補正対象項目名】００１０
【補正方法】変更
【補正の内容】
【００１０】
また、記録媒体の単位領域に対し、第１のドットデータに従って行われる画像の光沢性を制御するための画質向上液による記録と色ドットデータに従う有色インクの記録を同じタイミングで行う第１の記録と、かつ、記録媒体の単位領域に対し、前記有色インクの記録を行った後に、前記画質向上液をさらに記録する第２の記録とを行うことにより、前記記録媒体に画像を形成するための画像処理方法であって、入力画像データに基づいて、前記有色インクに対応する多値の色データと、前記画質向上液に対応する第１の多値データと第２の多値データを生成する生成工程と、前記多値の色データを量子化して前記有色インクのドットの配置を示す色ドットデータを生成し、前記第１の多値データを量子化して前記画質向上液のドット配置を示す第１のドットデータを生成し、前記第２の多値データを量子化して前記画質向上液のドット配置を示す第２のドットデータを生成する量子化工程と、前記単位領域に対し、前記色ドットデータに従った前記有色インクの記録と前記第１のドットデータに従った前記画質向上液の記録を同時に行った後、前記第２のドットデータに従った前記画質向上液の記録を行うように、前記有色インクおよび前記画質向上液を前記単位領域に記録するタイミングを制御する制御工程とを有することを特徴とする。
【手続補正５】
【補正対象書類名】特許請求の範囲
【補正対象項目名】全文
【補正方法】変更
【補正の内容】
【特許請求の範囲】
【請求項１】
記録媒体の単位領域に対し、第１のドットデータに従って行われる画像の光沢性を制御するための画質向上液による記録と色ドットデータに従う有色インクの記録を同じタイミングで行う第１の記録と、かつ、記録媒体の単位領域に対し、前記有色インクの記録を行った後に、前記画質向上液をさらに記録する第２の記録とを行うことにより、前記記録媒体に画像を形成するための画像処理装置であって、
入力画像データに基づいて、前記有色インクに対応する多値の色データと、前記画質向上液に対応する第１の多値データと第２の多値データを生成する生成手段と、
前記多値の色データを量子化して前記有色インクのドットの配置を示す色ドットデータを生成し、前記第１の多値データを量子化して前記画質向上液のドット配置を示す第１のドットデータを生成し、前記第２の多値データを量子化して前記画質向上液のドット配置を示す第２のドットデータを生成する量子化手段と、
前記単位領域に対し、前記色ドットデータに従った前記有色インクの記録と前記第１のドットデータに従った前記画質向上液の記録を同時に行った後、前記第２のドットデータに従った前記画質向上液の記録を行うように、前記有色インクおよび前記画質向上液を前記単位領域に記録するタイミングを制御する制御手段と
を備えることを特徴とする画像処理装置。
【請求項２】
前記生成手段は、前記多値の色データの信号値が相対的に低い領域において前記第１の多値データの信号値を前記第２の多値データの信号値よりも高く生成し、前記多値の色データの信号値が相対的に高い領域において前記第１の多値データの信号値を前記第２の多値データの信号値よりも低く生成することを特徴とする請求項１に記載の画像処理装置。
【請求項３】
前記生成手段は、前記入力画像データが黒を表す場合は、前記第１の多値データの信号値を０に設定し、前記第２の多値データの信号値を０より大きい値に設定することを特徴とする請求項２に記載の画像処理装置。
【請求項４】
前記画像処理装置は、前記有色インクを吐出する複数のノズルが配列して成るノズル列と、前記画質向上液を吐出する複数のノズルが配列して成るノズル列を、前記配列の方向とは交差する方向に並列して構成される記録ヘッドを、前記記録媒体に対して前記配列の方向とは交差する方向に移動する記録走査と、前記記録媒体を前記記録走査とは交差する方向に搬送する搬送動作とを交互に繰り返すことにより、前記記録媒体に画像を記録するための画像処理装置であり、
前記制御手段は、前記記録媒体において、前記色ドットデータおよび前記第１のドットデータに従った記録が単位領域に対する同じ記録走査で行われ、且つ、前記色ドットデータに従う記録を行うための記録走査が行われた単位領域に、当該記録走査後の記録走査で前記第２のドットデータに従った記録が行われるように、前記有色インクおよび前記画質向上液を、前記単位領域に記録するタイミングを制御することを特徴とする請求項１乃至３のいずれかに記載の画像処理装置。
【請求項５】
前記制御手段は、前記記録媒体において、前記色ドットデータおよび前記第１のドットデータに従った記録が単位領域に対する同じ記録走査で行われ、且つ、前記単位領域に前記色ドットデータに従う記録を行うための記録走査の後の記録走査で前記第２のドットデータに従った記録が行われるように、前記有色インクおよび前記画質向上液を、前記単位領域に記録するタイミングを制御することを特徴とする請求項４に記載の画像処理装置。
【請求項６】
前記制御手段は、前記記録走査で記録を許容する画素と記録を許容しない画素を前記複数のノズルのそれぞれについて定めたマスクパターンを用いることにより、前記有色インクおよび前記画質向上液を、前記記録媒体に記録するタイミングを制御することを特徴とする請求項４または５に記載の画像処理装置。
【請求項７】
前記制御手段は、前記単位領域において、前記色ドットデータおよび前記第１のドットデータに従った記録が複数回の同じ記録走査で行われ、且つ前記複数回よりも少ない回数の記録走査で前記第２のドットデータに従った記録が行われるように、前記有色インクおよび前記画質向上液を、前記記録媒体に記録するタイミングを制御することを特徴とする請求項４乃至６のいずれかに記載の画像処理装置。
【請求項８】
前記画質向上液を吐出するノズル列の使用域は前記有色インクを吐出するノズル列の使用域よりも前記配列の方向に長いことを特徴とする請求項４乃至７のいずれかに記載の画像処理装置。
【請求項９】
前記生成手段は、前記入力画像データに基づいて生成される前記多値の色データ、前記第１の多値データおよび前記第２の多値データを、前記記録媒体の種類に応じて異ならせることを特徴とする請求項１乃至８のいずれかに記載の画像処理装置。
【請求項１０】
第１のモードと前記第１のモードよりも記録速度が速い第２のモードを設定する手段を更に備え、
前記生成手段は、前記第１のモードが設定された場合に、前記多値の色データと、前記第１の多値データおよび前記第２の多値データを生成し、前記第２のモードが設定された場合には、前記多値の色データと前記第１の多値データを生成し、前記第２の多値データを生成しないことを特徴とする請求項１乃至９のいずれかに記載の画像処理装置。
【請求項１１】
前記画質向上液は色材を含有しない無色透明な液体であることを特徴とする請求項１乃至１０のいずれかに記載の画像処理装置。
【請求項１２】
前記画質向上液は色材を含有する有色インクであることを特徴とする請求項１乃至１０のいずれかに記載の画像処理装置。
【請求項１３】
前記有色インクは色材として顔料を含有し前記画質向上液は記録面の光沢性を向上させる液体であることを特徴とする請求項１乃至１２のいずれかに記載の画像処理装置。
【請求項１４】
前記生成手段は、３次元のルックアップテーブルを用いることにより、ＲＧＢで構成される前記入力画像データに基づいて、前記多値の色データ、前記第１の多値データおよび前記第２の多値データを生成することを特徴とする請求項１ないし１３のいずれかに記載の画像処理装置。
【請求項１５】
記録媒体の単位領域に対し、第１のドットデータに従って行われる画像の光沢性を制御するための画質向上液による記録と色ドットデータに従う有色インクの記録を同じタイミングで行う第１の記録と、かつ、記録媒体の単位領域に対し、前記有色インクの記録を行った後に、前記画質向上液をさらに記録する第２の記録とを行うことにより、前記記録媒体に画像を形成するための画像処理方法であって、
入力画像データに基づいて、前記有色インクに対応する多値の色データと、前記画質向上液に対応する第１の多値データと第２の多値データを生成する生成工程と、
前記多値の色データを量子化して前記有色インクのドットの配置を示す色ドットデータを生成し、前記第１の多値データを量子化して前記画質向上液のドット配置を示す第１のドットデータを生成し、前記第２の多値データを量子化して前記画質向上液のドット配置を示す第２のドットデータを生成する量子化工程と、
前記単位領域に対し、前記色ドットデータに従った前記有色インクの記録と前記第１のドットデータに従った前記画質向上液の記録を同時に行った後、前記第２のドットデータに従った前記画質向上液の記録を行うように、前記有色インクおよび前記画質向上液を前記単位領域に記録するタイミングを制御する制御工程と
を有することを特徴とする画像処理方法。
【請求項１６】
前記生成工程は、前記多値の色データの信号値が相対的に低い領域において前記第１の多値データの信号値を前記第２の多値データの信号値よりも高く生成し、前記多値の色データの信号値が相対的に高い領域において前記第１の多値データの信号値を前記第２の多値データの信号値よりも低く生成することを特徴とする請求項１５に記載の画像処理方法。
【請求項１７】
前記生成工程は、前記入力画像データが黒を表す場合は、前記第１の多値データの信号値を０に設定し、前記第２の多値データの信号値を０より大きい値に設定することを特徴とする請求項１６に記載の画像処理方法。
【請求項１８】
前記画像処理方法は、前記有色インクを吐出する複数のノズルが配列して成るノズル列と、前記画質向上液を吐出する複数のノズルが配列して成るノズル列を、前記配列の方向とは交差する方向に並列して構成される記録ヘッドを、前記記録媒体に対して前記配列の方向とは交差する方向に移動する記録走査と、前記記録媒体を前記記録走査とは交差する方向に搬送する搬送動作とを交互に繰り返すことにより、前記記録媒体に画像を記録するための画像処理方法であり、
前記制御工程は、前記記録媒体において、前記色ドットデータおよび前記第１のドットデータに従った記録が単位領域に対する同じ記録走査で行われ、且つ、前記色ドットデータに従う記録を行うための記録走査が行われた単位領域に、当該記録走査後の記録走査で前記第２のドットデータに従った記録が行われるように、前記有色インクおよび前記画質向上液を、前記単位領域に記録するタイミングを制御することを特徴とする請求項１５乃至１７のいずれかに記載の画像処理方法。
【請求項１９】
前記制御工程は、前記記録媒体において、前記色ドットデータおよび前記第１のドットデータに従った記録が単位領域に対する同じ記録走査で行われ、且つ、前記単位領域に前記色ドットデータに従う記録を行うための記録走査の後の記録走査で前記第２のドットデータに従った記録が行われるように、前記有色インクおよび前記画質向上液を、前記単位領域に記録するタイミングを制御することを特徴とする請求項１８に記載の画像処理方法。
【請求項２０】
前記制御工程は、前記記録走査で記録を許容する画素と記録を許容しない画素を前記複数のノズルのそれぞれについて定めたマスクパターンを用いることにより、前記有色インクおよび前記画質向上液を、前記記録媒体に記録するタイミングを制御することを特徴とする請求項１８または１９に記載の画像処理方法。
【請求項２１】
前記制御工程は、前記単位領域において、前記色ドットデータおよび前記第１のドットデータに従った記録が複数回の同じ記録走査で行われ、且つ前記複数回よりも少ない回数の記録走査で前記第２のドットデータに従った記録が行われるように、前記有色インクおよび前記画質向上液を、前記記録媒体に記録するタイミングを制御することを特徴とする請求項１８乃至２０のいずれかに記載の画像処理方法。
【請求項２２】
前記画質向上液を吐出するノズル列の使用域は前記有色インクを吐出するノズル列の使用域よりも前記配列の方向に長いことを特徴とする請求項１８乃至２１のいずれかに記載の画像処理方法。
【請求項２３】
前記生成工程は、前記入力画像データに基づいて生成される前記多値の色データ、前記第１の多値データおよび前記第２の多値データを、前記記録媒体の種類に応じて異ならせることを特徴とする請求項１５乃至２２のいずれかに記載の画像処理方法。
【請求項２４】
第１のモードと前記第１のモードよりも記録速度が速い第２のモードを設定する工程を更に有し、
前記生成工程は、前記第１のモードが設定された場合に、前記多値の色データと、前記第１の多値データおよび前記第２の多値データを生成し、前記第２のモードが設定された場合には、前記多値の色データと前記第１の多値データを生成し、前記第２の多値データを生成しないことを特徴とする請求項１５乃至２３のいずれかに記載の画像処理方法。
【請求項２５】
前記画質向上液は色材を含有しない無色透明な液体であることを特徴とする請求項１５乃至２４のいずれかに記載の画像処理方法。
【請求項２６】
前記画質向上液は色材を含有する有色インクであることを特徴とする請求項１５乃至２４のいずれかに記載の画像処理方法。
【請求項２７】
前記有色インクは色材として顔料を含有し前記画質向上液は記録面の光沢性を向上させる液体であることを特徴とする請求項１５乃至２６のいずれかに記載の画像処理方法。
【請求項２８】
前記生成工程は、３次元のルックアップテーブルを用いることにより、ＲＧＢで構成される前記入力画像データに基づいて、前記多値の色データ、前記第１の多値データおよび前記第２の多値データを生成することを特徴とする請求項１５乃至２７のいずれかに記載の画像処理方法。